(57)【要約】【課題】遊技者に斬新な印象を与えることができるガラス構造を備えたパチンコ機を提供することを目的とする。【解決手段】前方ガラス板６５及び後方ガラス板６７には、開口６５Ａ，６７Ｂがそれぞれ穿設されている。そして、開口６５Ａ，６７Ｂには、椀状の透明な樹脂製の突出部材７１が、はめ込まれている。突出部材７１は、その最も突出した部分７１Ｂの外面と遊技盤面１３Ａとの距離Ｌが遊技球Ｐの直径の３倍以上となるようにされている。突出部材７１の内側は遊技球Ｐが可動する拡張可動空間７３とされている。以上の突出構造により、遊技者に対して視覚的に斬新な印象を与えることができる。【選択図】図３
2010088955.tif 000002
【特許請求の範囲】
【請求項１】
遊技盤の前方には透明板が配され、この透明板の周縁が前記遊技盤に対し開閉可能な扉部材の開口枠に取り付けられてなるパチンコ機であって、
前記透明板には、その一部が前方に突出する突出部が形成されるとともに、この突出部の外面と前記遊技盤との間の間隔は、遊技球の直径の３倍以上に設定されていることを特徴とするパチンコ機。
【発明の詳細な説明】
【技術分野】
【０００１】
本発明は、パチンコ機に関する。
【背景技術】
【０００２】
従来、ガラス板等の透明板の構造に工夫を凝らして遊技者の興味を引くようにしたものが提案されている（例えば特許文献１参照）。このものは、後方ガラス板に前方ガラス板と接する位置まで部分的に突出した突出部を設けて遊技者の興味を引くようにしたものである。
【先行技術文献】
【特許文献】
【０００３】
【特許文献１】特開昭５６−８５３７３号（第２図）
【発明の概要】
【発明が解決しようとする課題】
【０００４】
しかしながら、このものは単に後方ガラス板に突出部が備えられているのみであり、前方ガラス板には通常の平板状のものが使用されているため、遊技者にそれ程斬新な印象を与えることはなかった。
また、後方ガラス板が前方に突出している部分でも、パチンコ球１個程度（通常の間隔と合わせてパチンコ球２個程度）、前方に突出しているだけであるため、遊技者がガラス板の構造の工夫に気付きにくいという問題点もあった。
本発明は上記のような事情に基づいて完成されたものであって、遊技者に斬新な印象を与えることができる透明板構造を備えたパチンコ機を提供することを目的とする。
【課題を解決するための手段】
【０００５】
上記課題を解決するための有効な手段とその作用・効果を以下に示す。
＜手段１＞
手段１は、遊技盤の前方には透明板が配され、この透明板の周縁が前記遊技盤に対し開閉可能な扉部材の開口枠に取り付けられてなるパチンコ機であって、前記透明板には、その一部が前方に突出する突出部が形成されるとともに、この突出部の外面と前記遊技盤との間の間隔は、遊技球の直径の３倍以上に設定されていることを特徴とする。
【０００６】
本手段の構成によれば、透明板には、その外面と遊技盤との距離が遊技球の直径の３倍以上となるように前方に向けて突出した突出部が形成されているから、遊技者に対して視覚的に斬新な印象を与えることができる。
なお、透明板には、ガラス板の他、透明な樹脂板も含まれる。
【０００７】
＜手段２＞
手段２は、手段１に記載のものにおいて、前記透明板には平面部が形成され、この平面部と前記突出部とは曲面にて繋がれていることを特徴とする。
【０００８】
本手段の構成によれば、透明板の平面部と突出部との境界線が見えにくくなるから、境界線が目障りでなくなる。
さらに、本手段の構成によれば以下の作用効果も奏される。透明板の一部を突出させると、透明板に応力がかかった場合に平面部と突出部との境界付近に応力が集中し易い。従って遊技者がガラス板をたたいたりすると、この部分から割れるおそれがある。
本手段の構成によれば、平面部と突出部とは曲面にて繋がれているから、透明板に応力がかかった場合でもその境界付近で応力が局部的に集中することはなく割れにくくなる。
【０００９】
＜手段３＞
手段３は、手段１又は手段２に記載のものにおいて、前記突出部は、所定の枠により囲まれるように区画された遊技領域のほぼ中央部に形成されていることを特徴とする。
【００１０】
遊技領域のほぼ中央部は遊技者の視野に入りやすいため、突出構造を目立たせることができる。
【００１１】
＜手段４＞
手段４は、手段１ないし手段３のいずれかに記載のものにおいて、前記突出部は、所定の枠により囲まれるように区画された遊技領域の端部付近に形成されていることを特徴とする。
【００１２】
一般に、遊技領域の端部付近は遊技者の視野に入りにくいため、端部付近の装飾効果は低い。
本手段の構成によれば、端部付近に突出部を形成したから、端部付近も目立たせることができ端部付近の装飾効果を向上させることができる。
【００１３】
＜手段５＞
手段５は、手段１ないし手段４のいずれかに記載のものにおいて、前記突出部は、所定の枠により囲まれるように区画された遊技領域よりも外の領域に形成されていることを特徴とする。
【００１４】
一般に、遊技領域よりも外の領域は遊技者の視野に入りにくいため、その領域の装飾効果は低い。
本手段の構成によれば、遊技領域よりも外に突出部を形成したから、遊技領域の外の領域も目立たせることができこの領域の装飾効果を向上させることができる。
【００１５】
＜手段６＞
手段６は、手段１ないし手段５のいずれかに記載のものにおいて、前記突出部は、前記透明板のほぼ中央部に形成されていることを特徴とする。
【００１６】
透明板のほぼ中央部は遊技者の視野に入りやすいため、突出構造を目立たせることができる。
【００１７】
＜手段７＞
手段７は、手段１ないし手段６のいずれかに記載のものにおいて、前記突出部は、前記透明板の端部付近に形成されていることを特徴とする。
【００１８】
一般に、透明板の端部付近は遊技者の視野に入りにくいため、端部付近の装飾効果は低い。
本手段の構成によれば、端部付近に突出部を形成したから、端部付近も目立たせることができ端部付近の装飾効果を向上させることができる。
【００１９】
＜手段８＞
手段８は、手段１ないし手段７のいずれかに記載のものにおいて、前記突出部の内側は遊技球が可動する拡張可動空間とされていることを特徴とする。
【００２０】
本手段の構成によれば、遊技球の可動範囲が三次元的に広がるから、遊技球の動きが複雑となり、遊技者の興味を引く。
【００２１】
＜手段９＞
手段９は、手段１ないし手段８のいずれかに記載のものにおいて、前記遊技盤の盤面のうち前記突出部と対向する付近には遊技球の入賞手段が備えられていることを特徴とする。
【００２２】
本手段の構成によれば、遊技者に対して視覚的に斬新な印象を与える突出部と対向する付近に入賞手段が備えられているから、入賞手段を目立たせることができる。
【００２３】
＜手段１０＞
手段１０は、手段９に記載のものにおいて、前記入賞手段は、遊技球の入賞又は通過により図柄表示装置を変動開始させたり、可動入賞装置を可動（開放または開閉を含む）させるものであることを特徴とする。
【００２４】
本手段の構成によれば、遊技者に対して視覚的に斬新な印象を与える突出部と対向する付近に図柄表示装置を変動開始させたり、可動入賞装置を可動させる入賞手段が備えられているから、これらの入賞手段を目立たせることができる。
なお、本手段における入賞手段には始動口、通過ゲートが含まれる。
【００２５】
＜手段１１＞
手段１１は、手段１ないし手段１０のいずれかに記載のものにおいて、前記遊技盤の盤面のうち前記突出部と対向する付近には装飾部材が備えられていることを特徴とする。
【００２６】
本手段の構成によれば、遊技者に対して視覚的に斬新な印象を与える突出部と対向する付近に装飾部材が備えられているから、装飾部材を目立たせることができる。
【００２７】
＜手段１２＞
手段１２は、手段１ないし手段１１のいずれかに記載のものにおいて、前記遊技盤の盤面のうち前記突出部と対向する付近には所定の表示を行う表示装置が備えられていることを特徴とする。
【００２８】
本手段の構成によれば、遊技者に対して視覚的に斬新な印象を与える突出部と対向する付近に所定の表示を行う表示装置が備えられているから、これらの表示装置を目立たせることができる。
なお、所定の表示装置には、図柄を変動して表示する図柄表示装置等が含まれる。
【００２９】
＜手段１３＞
手段１３は、手段８ないし手段１２のいずれかに記載のものにおいて、前記遊技盤の盤面のうち前記突出部と対向する付近には、前記拡張可動空間内への遊技球の球の進入流路を開閉する流路開閉手段が設けられている。
【００３０】
本手段の構成によれば、拡張可動空間内へ遊技球を進入させたり、進入させなかったりすることができ、遊技球の動きにバリエーションを設けることができるため、遊技者の興趣を一層増加させることができる。
【００３１】
＜手段１４＞
手段１４は、手段１ないし手段１３のいずれかに記載のものにおいて、前記遊技盤には、前記突出部の内面下部をほぼ覆う部材が設けられていることを特徴とする。
【００３２】
突出部により形成された拡張可動空間内で遊技球が落下すると、突出部の内面下部に衝突し、この部分で突出部が破損するおそれがある。本手段の構成によれば、遊技盤には、突出部の内面下部を覆う部材が設けられているから、突出部下部への遊技球の直撃が回避されて突出部が損傷するおそれがなくなる。
【００３３】
＜手段１５＞
手段１５は、手段８ないし手段１４のいずれかに記載のものにおいて、前記拡張可動空間内に遊技球を導く誘導壁が、前記拡張可動空間内に張り出すように前記遊技盤上に突設されていることを特徴とする。
【００３４】
本手段の構成によれば、遊技球を拡張可動空間内に導いて遊技球の動きを複雑にすることができるから、遊技者の興趣が増大される。
【００３５】
＜手段１６＞
手段１６は、手段８ないし手段１５のいずれかに記載のものにおいて、前記遊技盤の盤面のうち前記突出部と対向する部分には、前記拡張可動空間内にその先端が進入する長さの釘が植設されていることを特徴とする。
【００３６】
本手段の構成によれば、遊技球は拡張可動空間内においても釘によって弾かれて複雑な動きをする。よって、拡張可動空間内の遊技球の動きが単調となることを防止することができる。
【００３７】
＜手段１７＞
手段１７は、手段１ないし手段１６のいずれかにに記載のものにおいて、前記突出部は前記透明板に開けられた開口部に突状部材がはめこまれて形成されていることを特徴とする。
【００３８】
本手段の構成によれば、透明板に突出部を一体成形する必要はなくなるから、製造が容易となる。
【００３９】
＜手段１８＞
手段１８は、手段１ないし手段１７のいずれかに記載のものにおいて前記突状部材は樹脂にて構成されていることを特徴とする。
【００４０】
本手段の構成によれば、突状部材は樹脂製であるから成形性が高く製造が容易となる。
【００４１】
＜手段１９＞
手段１９は、手段１ないし手段１８のいずれかに記載のものにおいて、前記透明板は、後方透明板と、この後方透明板よりも前方に位置する前方透明板とからなり、前記後方透明板には、前記突出部が形成されるとともに、この突出部が前記前方透明板に開けられた開口部から前方へ突出していることを特徴とする。
【００４２】
本手段の構成によれば、後方透明板に形成された突出部は前方透明板よりも前方へ突出しているから、遊技者に対して視覚的に斬新な印象を与えることができる。
【００４３】
＜手段２０＞
手段２０は、手段１ないし手段１８のいずれかに記載のものにおいて、前記透明板は、後方透明板と、この後方透明板よりも前方に位置する前方透明板とからなり、前記前方透明板には前記突出部が形成されるとともに、前記後方透明板にも前方に突出する突出部が前記前方ガラス板の突出部と対応する位置に形成されていることを特徴とする。
【００４４】
本手段の構成によれば、前方透明板及び後方透明板のいずれにも突出部が形成されているから、遊技者に対して視覚的に斬新な印象を与えることができる。
また、遊技者が透明板を叩いたとしても、２枚とも割られるおそれが減少し、突出部後方の装飾部材等の遊技部材が破損するおそれが減少する。
【００４５】
＜手段２１＞
手段２１は、手段１ないし手段１８のいずれかに記載のものにおいて、前記透明板は、後方透明板と、この後方透明板よりも前方に位置する前方透明板とからなり、前記前方透明板には、前記突出部が形成されるとともに、前記後方ガラス板の前記突出部と対応する位置には開口が形成されていることを特徴とする。
【００４６】
本手段の構成によれば、前方透明板には、前方に向けて突出した突出部が形成されているから、遊技者に対して視覚的に斬新な印象を与えることができる。
【００４７】
＜手段２２＞
手段２２は、手段１ないし手段１８のいずれかに記載のものにおいて、前記透明板は、後方透明板と、この後方透明板よりも前方に位置する前方透明板とからなり、前記後方透明板は、前記前方透明板の端部より幅方向外方へ延出された部分を有し、この延出された部分には前記突出部が設けられていることを特徴とする。
【００４８】
本手段の構成によれば、後方透明板には、前方に向けて突出した突出部が形成されているから、遊技者に対して視覚的に斬新な印象を与えることができる。
【００４９】
＜手段２３＞
手段２３は、手段１ないし手段１８のいずれかに記載のものにおいて、前記透明板は、後方透明板と、この後方透明板よりも前方に位置する前方透明板とからなり、前記前方透明板は、前記後方透明板の端部より幅方向外方へ延出された部分を有し、この延出された部分には前記突出部が設けられていることを特徴とする。
本手段の構成によれば、前方透明板には、前方に向けて突出した突出部が形成されているから、遊技者に対して視覚的に斬新な印象を与えることができる。
【図面の簡単な説明】
【００５０】
【図１】本発明の第１実施形態のパチンコ機の正面図である。
【図２】ガラス扉枠を開けた状態のパチンコ機の正面図である。
【図３】図１のＩＩＩ−ＩＩＩ断面図である。
【図４】第２実施形態のパチンコ機の要部断面図である。
【図５】第３実施形態のパチンコ機の要部断面図である。
【図６】第４実施形態のパチンコ機の正面図である。
【図７】第５実施形態のパチンコ機の要部断面図である。
【図８】第６実施形態のパチンコ機の要部断面図である。
【図９】第６実施形態のパチンコ機の要部断面図である。
【図１０】第６実施形態のパチンコ機の要部正面図である。
【図１１】第７実施形態のパチンコ機の正面図である。
【図１２】図１１のＸＩＩ−ＸＩＩ断面図である。
【図１３】第８実施形態のパチンコ機の要部断面図である。
【図１４】第９実施形態のパチンコ機の要部断面図である。
【発明を実施するための形態】
【００５１】
＜第１実施形態＞
以下、本発明の第１実施形態を添付図面を参照しつつ説明する。
パチンコ機１の額縁状に形成された前面枠３の開口には、金枠５が周設されている。金枠５には、ガラス扉枠７と前面扉板９とが開閉可能に設けられている。なお、ガラス扉枠７の構成については後に詳述する。ガラス扉枠７の後方には、遊技盤１３が配置され、前面扉板９の表面には、打球を貯留し、かつ図示しない打球発射位置に打球を供給する上皿１５が固定されている。さらに、前面枠３の下方には、打球の発射力を調整する操作ハンドル１７、上皿１５に貯留しきれなかった景品玉を貯留する下皿１９が設けられている。
【００５２】
遊技盤１３の前面には、ほぼ円状に設けられる誘導レール２３によって区画された遊技領域２５が形成されている。遊技領域２５のほぼ中央には、特別図柄表示装置２７が配設されており、ここに複数の図柄列が表示される。本実施形態では、これらの図柄列として上図柄列２９、中図柄列３１及び下図柄列３３の３つの図柄列が表示されるが、それ以外の数の図柄列が表示されてもよい。
これらの図柄列２９，３１，３３は、通常変動時には横方向（右から左へ移動するように）にスクロール表示される。なお、図柄列は、例えば左図柄列、中図柄列、右図柄列のように縦方向にスクロール表示されるものであってもよい。
【００５３】
また、特別図柄表示装置２７の上部には普通図柄表示装置３５が併設されている。普通図柄表示装置３５は、発光ダイオード（ＬＥＤ）よりなる４つの保留ランプ３７と、普通図柄表示部たるＬＥＤよりなる７セグ表示部３９とを備えている。
さらに、特別図柄表示装置２７の左右両側には一対の通過ゲート４１が配設されている。通過ゲート４１を遊技球Ｐが通過すると普通図柄表示装置３５が作動する。本実施形態では、普通図柄表示装置３５は、「０」〜「９」までの数字を可変表示して７セグ表示部３９にセグメント表示させ、その数字が所定値（本実施の形態では「７」）で停止した場合に、始動口４５の羽根４５Ａを所定秒数開放させる。この開放により、始動口４５への入賞が比較的容易なものとなる。普通図柄表示装置３５は、遊技球Ｐの通過ゲート４１の通過回数を４回まで記憶することができ、保留ランプ３７でその保留数を表示する。従って、４つの保留ランプ３７が点灯している状態で遊技球Ｐが通過ゲート４１を通過してもカウントされず、保留ランプ３７が点灯している限り、遊技球Ｐが通過ゲート４１を通過しなくとも保留数に応じた回数だけ普通図柄表示装置３５は作動するようになっている。
【００５４】
特別図柄表示装置２７の表示部２７Ａでは、各図柄列２９，３１，３３の図柄変動（スクロール変動）が、遊技球Ｐの始動口４５への入賞に基づいて開始させられる。また、大当たり図柄、外れリーチ図柄及び外れ図柄の中から１つが選択され、これが停止図柄として設定される。停止図柄とは、各図柄列２９，３１、３３が図柄変動を停止したときに表示される図柄である。本実施形態では、図柄変動は、上図柄列２９、下図柄列３３、中図柄列３１の順に停止させられるが、これはあくまでも一例にすぎず、別の順序で停止するようにしてもよい。
【００５５】
大当たり状態は、リーチ遊技状態（リーチ状態）を経た後、全ての図柄列２９，３１，３３の変動が停止させられたとき、表示されている図柄の組合せが、予め定められた大当たりの組合せ、すなわち、同一種類の図柄が大当たりラインに沿って並んだ組合せとなる場合（例えば７、７、７や３、３、３等）であり、当該組合せを構成する図柄が「大当たり図柄」となる。大当たりの組合せが成立すると、特別電動役物が作動し（大入賞口４７が開かれ）、遊技者にとって有利な大当たり状態の到来、すなわち、より多くの景品球を獲得することが可能となる。
【００５６】
また、リーチ状態とは、大当たり直前の状態をいう（もちろん大当たり状態に至らない場合もある）。リーチ状態には、下図柄列３３の図柄変動が、大当たりライン上において上図柄列２９の停止図柄と同一種類の図柄で停止する状態が含まれる。
このリーチ状態には、中図柄列３１の図柄変動が、最終的に上・下両図柄列２９，３３の停止図柄と同一種類の図柄（大当たり図柄）で停止して大当たり状態になるもの以外にも、異なる種類の図柄（これを「外れリーチ図柄」という）で停止して、大当たり状態とならないもの（これを「外れリーチ状態」という）が含まれる。
【００５７】
遊技球Ｐの始動口４５への入賞に基づいて各図柄列２９，３１，３３の図柄変動が開始させられることはすでに説明したが、この変動表示中にさらに遊技球Ｐが始動口４５に入賞した場合には、その分の変動表示は、現在行われている変動表示の終了後に行われる。つまり、変動表示が待機（保留）される。この保留される変動表示の最大回数は、パチンコ機１の機種毎に決められている。本実施形態では保留最大回数が４回に設定されているが、これに限られるものではない。
【００５８】
特別図柄表示装置２７において、表示部２７Ａの上方には、発光ダイオード（ＬＥＤ）からなる保留ランプ４９が組み込まれている。保留ランプ４９の数は、前述した保留最大回数と同じ（この場合４個）である。保留ランプ４９は、変動表示の保留毎に点灯させられ、その保留に対応した変動表示の実行に伴い消灯させられる。このほかにも、パチンコ機１の複数箇所には、遊技効果を高めるための各種ランプが取り付けられている。これらのランプは、遊技の進行に応じて点灯状態（消灯、点灯、点滅等）が変えられる。さらに、パチンコ機１には、遊技の進行に応じて効果音を発生する図示しないスピーカが設けられている。
【００５９】
また、遊技者の操作に応じて変化するパチンコ機１の遊技状態を検出するべく、本実施形態では、遊技盤１３には、スルースイッチ５１、始動口用スイッチ５３、Ｖゾーン用スイッチ５５及びカウントスイッチ５７等がそれぞれ設けられている。スルースイッチ５１は、遊技球Ｐの通過ゲート４１の通過を検出し、始動口用スイッチ５３は、始動口４５への遊技球Ｐの入賞を検出し、Ｖゾーン用スイッチ５５は、遊技球Ｐの大入賞口４７のうちのＶゾーンへの入賞を検出し、カウントスイッチ５７は、遊技球Ｐの大入賞口４７への入賞を検出する。
【００６０】
次に、ガラス扉枠７の構成について詳細に説明する。ガラス扉枠７は、方形状の開口部を有し、その裏面には額縁状のガラス保持枠６３が備えられている。このガラス保持枠６３の内周縁には全周に沿って、かつ前後に所定間隔をおいてガラス収納溝６３Ａ，６３Ｂが形成され、それぞれには、共に平面ガラスよりなる前方ガラス板６５、後方ガラス板６７の周縁部が嵌め込まれることによって取り付けがなされている（なお、前方ガラス板６５及び後方ガラス板６７がガラス板（本発明の透明板に相当）６４を構成している）。
前方ガラス板６５及び後方ガラス板６７の、ガラス扉枠７を閉じた際に始動口４５に対面する位置には、略円形の開口６５Ａ，６７Ａがそれぞれ同軸でかつ同一の大きさをもって形成されている。
【００６１】
両開口６５Ａ，６７Ａには、後方ガラス板６７に取り付けられた全体が椀状をなす突出部材７１（本発明の突状部材）が嵌め込まれている。
この突出部材７１は円筒部と半球部とからできていて、円筒部が前後のガラス板６５，６７に嵌め込まれ、半球部は前方ガラス板６５からの突出部分とされている。突出部材７１は全周に取付用のフランジ７１Ａを有し、後方ガラス板６７の開口６７Ａの裏面に接着等の手段（あるいは適当な取付け具を用いた固定手段でもよい）によって固着されている。本実施形態においては、突出部材７１は透明の樹脂材によって一体に形成されるとともに、両開口６５Ａ，６７Ａに対しては僅かに圧縮された状態で嵌め込まれ、その外周面が全周に沿って隙間なく密着した状態としてある。
なお、この実施形態では、突出部材７１は、両開口６５Ａ，６７Ａに対し、自らの弾発力のみによって嵌め合わされるものを示したが、必要であれば更に接着剤を介在させるようにしてもよい。
【００６２】
かくして、突出部材７１は前方ガラス板６５の周縁部から局部的に突出することとなり、かつその内部は遊技領域２５内の空間に連通する。したがって、突出部材７１の内側は遊技球Ｐに対する拡張可動空間７３とされる。つまり、突出部材７１によって遊技領域２５が前方側に立体的に拡張されたわけである。
ところで、遊技盤１３の遊技盤面１３Ａから前方ガラス板６５の平面部までの距離は遊技球Ｐの直径の２倍程度であるが、突出部材７１が設けられた部分では突出部材７１のうち最も突出した部分７１Ｂの外面までの距離Ｌが遊技球Ｐの直径の３倍以上、かつ遊技に支障をきたさない程度以下の設定としてある。
【００６３】
拡張可動空間７３内には、先端に始動口４５が設けられたガイド部材７４が突入されている。このガイド部材７４は始動口４５を突出部材７１のほぼ中心部に位置させつつ遊技盤１３をほぼ直角に内外に貫通している。そして、その内部に形成された案内通路７５は始動口４５へ入賞した遊技球Ｐを遊技盤１３の裏面に配された図示しない経路へと導くことができるようになっている。
【００６４】
さらに、拡張可動空間７３内の始動口４５の上方には、遊技盤１３から斜め前方へ下るように傾斜する案内板（本発明の誘導壁に相当）７７が起立して設けられている。この案内板７７によって、後方ガラス板６７と遊技盤１３との間を通って落下してきた遊技球Ｐを拡張可動空間７３内に導くようにしている。
また、遊技盤１３における案内板７７と始動口４５との間の位置には、始動口４５付近までその先端が延びた一対の釘７９が植設されている。釘７９は、通常のパチンコ機１に用いられている釘よりも長くされており、拡張可動空間７３内に誘導された遊技球Ｐと接触して遊技球Ｐの動きに変化を与えるために設けられている。
【００６５】
次に本実施形態の作用効果について説明する。
本実施形態のパチンコ機１では、ガラス板６４は、その最も突出した部分７１Ｂの外面と遊技盤面１３Ａとの距離Ｌが遊技球Ｐの直径の３倍以上となるように前方に向けて突出しているから、遊技者に対して視覚的に斬新な印象を与えることができる。
また、ガラス板６４の突出構造は、ガラス板６４に開けられた開口６５Ａ，６７Ａに突出部材７１がはめこまれて形成されており、板ガラスに突出構造を一体成形する必要はなくなるから、製造が容易となる。
また、突出部材７１は樹脂にて構成されているから成形性が高く製造が容易となる。
また、突出部材７１の内側は遊技球Ｐが可動する拡張可動空間７３とされている。よって、遊技球Ｐの可動範囲が三次元的に広がるから、遊技球Ｐの動きが複雑となり、遊技者の興味を引く。
【００６６】
また、遊技盤１３の遊技盤面１３Ａのうち突出部材７１と対向する付近には、始動口４５が備えられているから、始動口４５を目立たせることができる。
また、拡張可動空間７３内に遊技球Ｐを導く案内板７７が、拡張可動空間７３内に張り出すように遊技盤１３上に突設されているから、遊技球Ｐを拡張可動空間７３内に導いて遊技球Ｐの動きを複雑にすることができ、遊技者の興趣が増大される。
【００６７】
また、遊技盤１３の遊技盤面１３Ａのうち突出部材７１と対向する部分には、拡張可動空間７３内にその先端が進入する長さの釘７９が植設されているから、遊技球Ｐは拡張可動空間７３内においても釘７９によって弾かれて複雑な動きをする。よって、拡張可動空間７３内の遊技球Ｐの動きが単調となることを防止することができる。
【００６８】
＜第２実施形態＞
次に、第２実施形態について図４を参照しつつ説明する。第２実施形態では、第１実施形態と異なる構成のみ説明し、第１実施形態と同一の他の構成、作用、効果については省略する。なお、同一の構成については第１実施形態と同一の符号を付す。第２実施形態では、第１実施形態の図３に相当する図４の断面図に示すようにガラス板６４の突出構造が第１実施形態のものと異なる。
前方ガラス板６５には突出部が形成されるとともに、後方ガラス板６７にも、突出部が前方ガラス板６５の突出部と対応する位置に形成されている（本実施形態においては、突出部はそれぞれ後方ガラス板６７、前方ガラス板６５と一体成形されているものを示したが、突出部を別体としてもよい）。
なお、本実施形態においても図４中の距離Ｌが遊技球Ｐの直径の３倍以上、かつ遊技に支障をきたさない程度以下の設定としてある。
次に本実施形態特有の効果について説明する。
本手段の構成によれば、前方ガラス板６５及び後方ガラス板６７のいずれにも突出部が形成されているから、遊技者に対して視覚的に斬新な印象を与えることができる。また、遊技盤１３の前方に２枚のガラス板６５，６７が配されるから、遊技者がガラス板６４を叩いたとしても、２枚とも割られるおそれが減少し、後方の装飾部材等の遊技部材が破損するおそれが減少する。
【００６９】
＜第３実施形態＞
次に、第３実施形態について図５を参照しつつ説明する。第３実施形態では、第１実施形態と異なる構成のみ説明し、第１実施形態と同一の他の構成、作用、効果については省略する。なお、同一の構成については第１実施形態と同一の符号を付す。第３実施形態では、第１実施形態の図３に相当する図５の断面図に示すようにガラス板６４の突出構造が第１実施形態のものと異なる。
前方ガラス板６５には、突出部が形成されるとともに、後方ガラス板６７には前方ガラス板６５の突出部と対応する位置に開口６７Ａが形成されている。そして、遊技盤１３に突出して取り付けられた装飾部材２６は、後方ガラス板６７の開口６７Ａから前方に向かって突出している。
【００７０】
＜第４実施形態＞
次に、第４実施形態について図６を参照しつつ説明する。第４実施形態では、第１実施形態と異なる構成のみ説明し、第１実施形態と同一の他の構成、作用、効果については省略する。なお、同一の構成については第１実施形態と同一の符号を付す。第４実施形態では、突出部を形成する突出部材７１の配置が第１実施形態のものと異なる。
この実施形態では、突出部材７１は、誘導レール２３（本発明の所定の枠に相当）により囲まれるように区画された遊技領域２３のほぼ中央部、左右両端部付近、及び遊技領域２５よりも外の領域（図６において遊技領域２５の右上方領域）にそれぞれ配されている。
【００７１】
＜第５実施形態＞
次に、第５実施形態について図７を参照しつつ説明する。第５実施形態では、第１実施形態と異なる構成のみ説明し、第１実施形態と同一の他の構成、作用、効果については省略する。なお、同一の構成については第１実施形態と同一の符号を付す。第５実施形態では、突出部材７１の形状が後側面を開口した中空の直方体形状をなしている点及び突出部材７１の内面下部（突出部材７１の底壁の内面）をほぼ覆う被覆部材７２が設けられている点が第１実施形態のものと異なる。なお、被覆部材７２は、突出部材７１の底壁内面を覆うサイズの矩形状の樹脂等からなり、遊技盤１３から前方へ向けて起立して設けられて、基端側には、遊技球Ｐが通過可能な開口７２Ａが設けられている。
本実施形態の構成によれば、突出部材７１の内面下部を覆う部材７２が設けられているから、突出部材７１下部への遊技球Ｐの直撃が回避されて突出部材７１が損傷するおそれがなくなる。
なお、本実施形態においても図７中の距離Ｌが遊技球Ｐの直径の３倍以上、かつ遊技に支障をきたさない程度以下の設定としてある。
【００７２】
＜第６実施形態＞
次に、第６実施形態について図８ないし１０を参照しつつ説明する。第６実施形態では、第５実施形態と異なる構成のみ説明し、第５実施形態と同一の他の構成、作用、効果については省略する。なお、同一の構成については第５実施形態と同一の符号を付す。第６実施形態では、遊技盤１３の一部領域１３Ｄが図示しないソレノイド等の駆動手段により前後方向に駆動可能となっており、一部領域１３Ｄが図８に示す後方位置から図９に示す前方位置に駆動すると、その前端部が突出部材７１の後方内縁に入り込むような状態となって、遊技球Ｐの進入通路を閉鎖し、拡張可動空間７３内に遊技球Ｐが進入しないようにされている（駆動手段により前後に移動する一部領域１３Ｄが本発明の流路開閉手段に相当する）。
なお、駆動可能な一部領域１３Ｄは、図１０に示すようにその上縁部が中央から山形に左右に傾斜しており、一部領域１３Ｄが前方位置に移動した状態では、遊技球Ｐは一部領域１３Ｄの上縁部によって、左右方向に振り分けられて流下するようにされている。
本実施形態の構成によれば、拡張可動空間７３内へ遊技球Ｐを進入させたり、進入させなかったりすることができ、遊技球Ｐの動きにさらにバリエーションを設けることができるため、遊技者の興趣を一層増加させることができる。
なお、本実施形態においても図８中の距離Ｌが遊技球Ｐの直径の３倍以上、かつ遊技に支障をきたさない程度以下の設定としてある。
【００７３】
＜第７実施形態＞
次に、第７実施形態について図１１、図１２を参照しつつ説明する。第７実施形態では、第１実施形態と異なる構成のみ説明し、第１実施形態と同一の他の構成、作用、効果については省略する。なお、同一の構成については第１実施形態と同一の符号を付す。第７実施形態では、突出部の構成が第１実施形態のものと異なる。
【００７４】
遊技領域２５は、図１１の左側約２／３が、遊技球Ｐがガラス板６４の後面（本実施形態では後方ガラス板６７の後面）と遊技盤１３との間を流下可能な第１領域２５Ａとされている。一方、右側約１／３は、装飾部材２６が突出して配されてこの装飾部材２６と透明板６４との間の空間（図１２における空間Ｋ）が遊技球Ｐが流下不能とされた第２領域２５Ｂとされており、遊技盤１３上に固定され第２領域２５Ｂへの遊技球Ｐの進入を阻止する境界壁２８が設けられている。
境界壁２８は、ポリカーボネート等のほぼ無色透明な樹脂板からなり、その第１領域側の側面には、シリコンゴム等のほぼ無色透明な弾性部材(図示せず）が貼り付けられている。
第２領域２５Ｂには、前方側へ張り出した立体的なキャラクタ人形及び花の形状の遊技部材の一例としての装飾部材２６が取り付けられている。
なお、立体的なキャラクタ人形及び個々の花の形状の装飾部材２６は、それぞれ独立しており別個に遊技盤１３から突出するように取り付けられている。これらの最前端は図１２に示すように後方ガラス板６７の板面よりも前方側に突出するようにされている。
また、装飾部材２６たるキャラクタ人形の手部２６Ａは図示しないソレノイド（駆動手段）により図１２の破線に示すように前後方向に動作可能とされている。
【００７５】
次に、ガラス板６４の構成について詳細に説明する。後方ガラス板６７は、遊技盤１３の横幅の約２／３程度の横幅をもつ長方形平板のガラス板であり、ガラス扉枠７を閉じた状態で遊技球Ｐの直径よりも若干大きい間隔を開けつつ遊技盤面１３Ａと略平行となるように、かつ遊技盤１３の左側約２／３の領域を覆うようにして取り付けられている。すなわち、ガラス扉枠７を閉じた状態では、後方ガラス板６７が第１領域２５Ａを覆うようにされている。
一方、前方ガラス板６５は、後方ガラス板６７とほぼ同面積・同形の平面部８０Ａと、この平面部８０Ａの一端側（図１２において右側）から斜め前方に湾曲するように延設された突出部８０Ｂとからなる。突出部８０Ｂは側方側（図１２において右側）ほど前方に突出する形状とされている。なお、前方ガラス板６５の平面部８０Ａと前方ガラス板６５の突出部８０Ｂとは曲面にて繋がれている。
【００７６】
そして、前方ガラス板６５は、その平面部８０Ａが後方ガラス６７と所定間隔を開けつつ平行になるようにしてガラス扉枠７に取り付けられ、ガラス扉枠７を閉じた状態で、前方ガラス板６５の突出部８０Ｂが第２領域２５Ｂを覆うようにされている。
なお、本実施形態においても図１２中の距離Ｌが遊技球Ｐの直径の３倍以上、かつ遊技に支障をきたさない程度以下の設定としてある。
このようにして突出部８０Ｂの後方には装飾部材２６の収納空間が設けられ、ここに前方側へ張り出した立体的なキャラクタ人形及び花の形状の装飾部材２６が収納されるようにされている。
【００７７】
＜第８実施形態＞
次に、第８実施形態について図１３を参照しつつ説明する。
第８実施形態では、第７実施形態と異なる構成のみ説明し、第７実施形態と同一の他の構成、作用、効果については省略する。なお、同一の構成については第７実施形態と同一の符号を付す。第８実施形態では、突出部８０Ｂの形状が第７実施形態のものと異なる。
第８実施形態では、第７実施形態の図１２に相当する図１３の断面図に示すように、突出部８０Ｂの途中に変曲点をもつものとされている。
【００７８】
＜第９実施形態＞
次に、第９実施形態について図１４を参照しつつ説明する。第９実施形態では、第７実施形態と異なる構成のみ説明し、第７実施形態と同一の他の構成、作用、効果については省略する。なお、同一の構成については第７実施形態と同一の符号を付す。第９実施形態では、ガラス板６４の突出構造が第７実施形態のものと異なる。
第９実施形態では、第７実施形態の図１２に相当する図１４の断面図に示すように、後方ガラス板６７は、前方ガラス板６５の端部より幅方向外方へ延出された部分を有し、この延出された部分には突出部８１Ｂが設けられている。
なお、本実施形態においても図１４中の距離Ｌが遊技球Ｐの直径の３倍以上、かつ遊技に支障をきたさない程度以下の設定としてある。
このようにして突出部８１Ｂの後方には装飾部材２６の収納空間が設けられ、ここに前方側へ張り出した立体的なキャラクタ人形及び花の形状の装飾部材２６が収納されるようにされている。
【００７９】
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００８０】
（１）上記実施形態では、突出部の形状を特定形状のものとして説明したが、突出部の形状はこれに限定されず、任意形状とすることができる。
【００８１】
（２）上記第１実施形態では、突出部材７１の内側は拡張可動空間７３としたが、突出部材７１の内側に空間を設けず、塞がれているものであってもよい。
【００８２】
（３）上記第１実施形態では、突出部材７１は樹脂製としたが、突出部材の材質は特に限定されず、例えばガラスとしてもよい。
【００８３】
（４）上記実施形態では、透明板としてガラス板６４を用いたが、透明な樹脂板を用いてもよい。
【００８４】
（５）上記第１実施形態では、入賞手段として始動口４５について説明したが、入賞手段はこれに限定されない。例えば、通過ゲート４１であってもよい。
【００８５】
（６）上記実施形態では、透明板の一部のみを突出させたが、透明板を全体的に突出させた構造であってもよい。
【００８６】
（７）上記実施形態では、透明板として、前方ガラス板６５及び後方ガラス板６７からなる２枚ガラスのものを説明したが、１枚の透明板であってもよい。
【符号の説明】
【００８７】
１…パチンコ機
３…前面枠
７…ガラス扉枠
９…前面扉板
１３…遊技盤
１３Ａ…遊技盤面
２５…遊技領域
４５…始動口
６４…ガラス板（透明板）
６５…前方ガラス板
６５Ａ…開口
６７…後方ガラス板
６７Ａ…開口
７１…突出部材
７３…拡張可動空間
７７…案内板（誘導壁）
７９…釘
Ｐ…遊技球
【図１】
2010088955.tif 000003
【図２】
2010088955.tif 000004
【図３】
2010088955.tif 000005
【図４】
2010088955.tif 000006
【図５】
2010088955.tif 000007
【図６】
2010088955.tif 000008
【図７】
2010088955.tif 000009
【図８】
2010088955.tif 000010
【図９】
2010088955.tif 000011
【図１０】
2010088955.tif 000012
【図１１】
2010088955.tif 000013
【図１２】
2010088955.tif 000014
【図１３】
2010088955.tif 000015
【図１４】
2010088955.tif 000016